(57)【要約】【課題】交差筋交いを折り畳む際には共に重ね合わせて収めることができる手摺りで、開く角度やサイズの異なる様様な種類の交差筋交いに容易に対応させることができ、また、交差筋交いに取り付けた後でも取り付け位置の調節が簡単にでき、交差筋交いの汎用性を損なうこともない枠組足場の交差筋交い用手摺りを提供することを目的とする。【解決手段】手摺り９の一端には、交差筋交い３のバー３ａが挿通する輪体１３を設け、手摺り９の他端には、バー３ａに外側から嵌める断面Ｕ字形の折り曲げ片の左右側面の延設部にボルト・ナット１６を貫通させ、このボルト・ナット１６で手摺り９の端を着脱自在に軸支する取付金具１２を設け、取付金具１２の折り曲げ片には、折り曲げ片を嵌めることが可能な全種類の交差筋交いのバーに先端が当接する六角ボルト１７を、その先端を前記折り曲げ片の内側に突出させて設けた。【選択図】        図１
2008106531.tif 000002
【特許請求の範囲】
【請求項１】
建枠間を該建枠に端を掛着する布板および交差筋交いで連結する枠組足場の前記建枠の側面に着脱自在に掛渡されるものとして、端を偏平な板状としてここに前記建枠の側部に形成した係止突起が脱着自在に挿入される貫通孔を形成したバー２本を中央で相互に軸着して開いた状態ではＸ形となる交差筋交いの、バーの軸着部より下方または上方に係止して水平に掛渡される棒体による枠組足場の交差筋交い用手摺りにおいて、前記手摺りの一端には、交差筋交いのバーが挿通する輪体を設け、手摺りの他端には、交差筋交いのバーに外側から嵌める断面Ｕ字形の折り曲げ片の左右側面の延設部に軸体を貫通させ、この軸体で手摺り端を着脱自在に軸支する取付金具を設け、該取付金具の前記折り曲げ片には、折り曲げ片を嵌めることが可能な全種類の交差筋交いのバーに先端が当接するボルトを、その先端を前記折り曲げ片の内側に突出させて設けたことを特徴とする枠組足場の交差筋交い用手摺り。
【請求項２】
手摺りに対する輪体の取り付け角度を５５度から９０度の範囲とする請求項１記載の枠組足場の交差筋交い用手摺り。
【請求項３】
折り曲げ片の、交差筋交いを開いた状態でバーと手摺とで囲繞される空間に位置する部分を切り欠く請求項１または請求項２に記載の枠組足場の交差筋交い用手摺り。
【請求項４】
手摺りは、直径の異なる２本のパイプを入れ子状に摺嵌して伸縮自在とし、外側のパイプには、内側のパイプに係止するピンまたはボルトを設ける請求項１ないし請求項３のいずれかに記載の枠組足場の交差筋交い用手摺り。
【発明の詳細な説明】
【技術分野】
【０００１】
本発明は、建築、土木の工事現場等で使用する仮設材としての枠組足場で使用する交差筋交いに使用する手摺りに関するものである。
【背景技術】
【０００２】
枠組足場は、周知のごとく図９に示すように鳥居型や門型の建枠１を適宜間隔で並列させ、この建枠１同士を布板（足場板）２および交差筋交い３で連結してなる。
【０００３】
ここで、手摺りを筋交いと同時に簡単かつ容易に掛け渡し、もしくは撤去できる枠組足場の手摺り付き交差筋交いが、以下の特許文献に示されている。
【特許文献１】特開昭６−３０７０１号公報
【０００４】
その構成について詳細に述べると、建枠１は鋼管による左右の建地材１ａとこれを上端で連結する鋼管による水平材１ｂとで一体に構成され、布板２は端のフック（図示せず）により、相対向して並ぶ建枠１相互の水平材１ｂ間に掛渡される。また、建枠１の建地材１ａはその側部に係止突起を突設してあり、２本のバーを中央で相互に軸着して、Ｘ形に予め組んだ交差筋交い３は端にこの係止突起を差入れる貫通孔を有するバーであり、該係止突起に端部を掛着することで交差筋交い３は相対向して並ぶ建枠１相互間の側面に掛け渡される。
【０００５】
さらに、前記建枠１は間隔を存して横方向に並べるだけでなく、端部を差込む連結ピンで建地材１ａの上下端を結合することにより上下方向にも段積してその高さを増していき、これに応じて作業通路となる布板２も複数階の床をなすようにする。
【０００６】
このような枠組足場の交差筋交い３として、手摺りを筋交いと同時に簡単かつ容易に掛け渡し、もしくは撤去できる枠組足場の手摺り付き交差筋交いを図１０に示す。交差筋交い３はパイプによるバー３ａを中央で相互に軸着して、Ｘ形に予め組んだ交差筋交いで、各バー３ａの端は偏平な板状としてここに前記係止突起７が挿人する貫通孔８を設けた。さらに、かかる交差筋交い３の一方のバー３ａの上端付近に軸着用のコ字状ブラケット１０を溶接により固定して設け、このブラケット１０を介して手摺り９の端を軸着する。
【０００７】
一方、手摺り９の他端には輪体１１を設け、この輪体１１に交差筋交い３の他方のバー３ａの上半部を挿通して、このバー３ａに沿って摺動自在とした。
【０００８】
枠組足場は前記図９に示すように建枠１を適宜間隔で並列させ、この建枠１同士を布板（足場板）２および交差筋交い３で連結してなるもので、建枠１は図１３に示すように鋼管による左右の建地材１ａとこれを上端で連結する鋼管による水平材１ｂとで一体に構成されるが、この水平材１ｂは左右の建地材１ａの中央を連結して全体をＨ型枠とする。図中６は水平材１ｂより下方の下半部分に配置する方枝形の補強材であり、また、建枠１の建地材１ａの側部に突設する係止突起７は、これを建地材１ａの上端部と、前記水平材１ｂよりも少し下方に設けるものとした。係止突起７は出没片であるグラビティロックを内蔵するものでもよい。
【０００９】
このようにして、手摺り９は交差筋交い３をＸ字形に広げた状態では図１０に示すように交差筋交い３のバー３ａの上部に水平に掛け渡らせるが、交差筋交い３を折り畳む状態では、図１２に示すように相互に重なるバー３ａにこの手摺り９も重なるように収まる。
【発明の開示】
【発明が解決しようとする課題】
【００１０】
しかし、特許文献１の手摺りはブラケット１０を交差筋交い３のバー３ａに溶接して取り付けることからも分かるように、手摺りを交差筋交いから取り外すことについては考慮されていない。そして手摺りを取り外せない場合には、１種類の交差筋交いに対して常に１種類の手すりが使用されることになるが、交差筋交いにはサイズの異なる様様な種類が存在し、また、交差筋交いを開く角度は種類毎に異なるため、交差筋交いの各種類毎に、それに合わせた手摺りを用意しなければならず、不経済であった。
【００１１】
さらに、交差筋交い３のバー３ａに対するブラケット１０の位置は固定されており、手摺りの長さも一定であるため、交差筋交い３が開く角度もこれにより自ずと規定されるが、輪体１１が錆びたり変形したりすることによりバー３ａに沿ってスムーズに摺動できなくなった場合には、交差筋交い３を充分に開くことが出来ず、他に手摺りの位置を調節する手段も無いため、手摺り付きの交差筋交い全体が使用不能となってしまう。
【００１２】
また、ブラケット１０と手摺りとの軸着を解除することにより手摺りを取り外すことが出来ても、溶接したブラケットは交差筋交いのバーに残ってしまうため、手摺を不要とする場合の使用には適さないものとなり、汎用性に欠ける。
【００１３】
本発明は前記従来例の不都合を解消し、交差筋交いを折り畳む際には共に重ね合わせて収めることができる手摺りで、開く角度やサイズの異なる様様な種類の交差筋交いに容易に対応させることができ、また、交差筋交いに取り付けた後でも取り付け位置の調節が簡単にでき、交差筋交いの汎用性を損なうこともない枠組足場の交差筋交い用手摺りを提供することを目的とする。
【課題を解決するための手段】
【００１４】
前記目的を達成するため本発明の枠組足場の交差筋交い用手摺りは、第１に、建枠間を該建枠に端を掛着する布板および交差筋交いで連結する枠組足場の前記建枠の側面に着脱自在に掛渡されるものとして、端を偏平な板状としてここに前記建枠の側部に形成した係止突起が脱着自在に挿入される貫通孔を形成したバー２本を中央で相互に軸着して開いた状態ではＸ形となる交差筋交いの、バーの軸着部より下方または上方に係止して水平に掛渡される棒体による枠組足場の交差筋交い用手摺りにおいて、前記手摺りの一端には、交差筋交いのバーが挿通する輪体を設け、手摺りの他端には、交差筋交いのバーに外側から嵌める断面Ｕ字形の折り曲げ片の左右側面の延設部に軸体を貫通させ、この軸体で手摺り端を着脱自在に軸支する取付金具を設け、該取付金具の前記折り曲げ片には、折り曲げ片を嵌めることが可能な全種類の交差筋交いのバーに先端が当接するボルトを、その先端を前記折り曲げ片の内側に突出させて設けたことを要旨とするものである。
【００１５】
また、第２に、手摺りに対する輪体の取り付け角度を５５度から９０度の範囲とすること、第３に、折り曲げ片の、交差筋交いを開いた状態でバーと手摺とで囲繞される空間に位置する部分を切り欠くこと、第４に、手摺りは、直径の異なる２本のパイプを入れ子状に摺嵌して伸縮自在とし、外側のパイプには、内側のパイプに係止するピンまたはボルトを設けることを要旨とするものである。
【００１６】
請求項１記載の本発明によれば、取付金物は、折り曲げ片の内側にボルトの先端を突出させてその先端を前記筋交いのバーに当接させることにより、交差筋交いのバーに固定するから、手摺りの使用時には手摺りは交差筋交いのバーに固定される取付金物を介してしっかりとバーに軸支される一方で、ボルトを緩めることにより取付金物のバーへの固定を解除して、取付金物を移動させれば、容易に手摺りの位置調節ができる。
【００１７】
更に折り曲げ片には、先端を前記折り曲げ片の内側に突出させてボルトを設け、折り曲げ片を嵌めることが可能な全種類の交差筋交いのバーにこのボルトの先端が当接するようにしたから、折り曲げ片を嵌めることが可能な太さのバーを備える交差筋交いであれば、本発明の手摺りを着脱自在に取り付けることができる。
【００１８】
すなわち、交差筋交いに既に取り付けられている手摺りを軸支する軸体を取り外すとともにボルトを緩めることにより、まず手摺りと取付金物とを交差筋交いのバーから取外し、次に、取付金物の折り曲げ片を嵌め得る他の交差筋交いのバーに折り曲げ片を嵌めて、ボルトの先端を該バーに当接させてボルトを締めることにより折り曲げ片を前記バーに固定し、最後に、手摺りを軸支するように折り曲げ片に軸体を取り付ければ、種類の異なる交差筋交いにも手摺りを転用することができる。
【００１９】
また、手摺りを不要とする場合には、そのまま取付金物をバーから外してしまえば、交差筋交いには手摺りの構成部品は何も残らないから、手摺りを使用しない場合に交差筋交いの使い勝手が悪くなることも無く、交差筋交いの汎用性を損なうこともない。
【００２０】
なお、従来と同様に、交差筋交いを折り畳む際には、手摺りを交差筋交いのバーに取り付けたまま交差筋交いを折り畳めば、輪体がバーに沿って摺動して、交差筋交いと重ね合わせて収めることが出来る。
【００２１】
請求項２記載の本発明によれば、前記作用に加えて、手摺りに対する輪体の取り付け角度を５５度から８０度の範囲とすることで、水平な状態での手摺りの吊支が安定してでき、且つ、手摺りを取り付けたまま交差筋交いを折り畳む際、輪体が交差筋交いのバーに沿ってスムーズに摺動可能となる。
【００２２】
請求項３記載の本発明によれば、折り曲げ片の、交差筋交いを開いた状態でバーと手摺とで囲繞される空間に位置する部分を切り欠くようにしたから、取付金物の軸体の脱着などの作業を行う際、折り曲げ片が邪魔にならずに効率良く作業を行うことが出来る。
【００２３】
請求項４記載の本発明によれば、手摺りは、直径の異なる２本のパイプを入れ子状に摺嵌して伸縮自在としたから、手摺りの長さを適宜調節することにより、更に多くの種類の交差筋交いに適用可能となる。
【００２４】
すなわち、手摺りの長さによって、取り付け可能な交差筋交いのバーの交差角度および取り付け位置が決まるが、手摺りを伸縮させて長さを調節可能とすることにより、様様な交差角度の交差筋交いの適当な位置に、同一の手摺りを転用して取り付けることができる。このため、交差筋交いの種類毎に手摺りを用意せずに済み、経済的である。
【００２５】
なお、手摺りの使用時には、外側のパイプに設けたピンまたはボルトを内側のパイプに係止させれば、その位置で両パイプが固定され、安定した状態で手摺りを使用することができる。
【発明の効果】
【００２６】
以上述べたように本発明の枠組足場の交差筋交い用手摺りは、交差筋交いを折り畳む際には共に重ね合わせて収めることができる手摺りで、開く角度やサイズの異なる様様な種類の交差筋交いに容易に対応させることができ、また、交差筋交いに取り付けた後でも取り付け位置の調節が簡単にでき、交差筋交いの汎用性を損なうこともない。
【発明を実施するための最良の形態】
【００２７】
以下、図面について本発明の実施の形態を詳細に説明する。図１は本発明の枠組足場の交差筋交い用手摺りの第１実施形態を示す正面図である。
【００２８】
パイプによる手摺り９は一端に取付金具１２を軸着し、他端に輪体１３を設けた。
【００２９】
先にこの取付金具１２から説明すると、図２、図３に示すように、厚肉金属板（鋼板またはアルミ板）による断面Ｕ字形の折り曲げ片によるもので、左右に延設する側面１２ａ、１２ｂの一端を切欠き、残る部分に貫通孔１４を穿設した。
【００３０】
そして、前記左右側面１２ａ、１２ｂのいずれか一方（図示では１２ａ）の中央にネジ孔１５を穿設した。
【００３１】
前記貫通孔１４には軸体としてのボルト・ナット１６を挿通し、また、ネジ孔１５には先端が取付金具１２の断面Ｕ字形の折り曲げ片の内方に突き出るように六角ボルト１７を螺合する。
【００３２】
なお、取付金具１２は一端は交差筋交いのパイプによるバーや手摺り９が挿入する開口面１２ｃとなるものであるが、前記六角ボルト１７は取付金具１２の断面Ｕ字形の折り曲げ片の最深部に交差筋交いのパイプによるバー３ａが納まった場合に、このバー３ａの側部に先端が当接するように、前記ネジ孔１５の位置を定める。
【００３３】
また、取付金物１２を嵌めることが可能な交差筋交いのバー３ａは、取付金物１２の開口面１２ｃよりも直径が小さく、且つ、取付金具１２の断面Ｕ字形の折り曲げ片の最深部の屈曲角度に沿うだけの大きさが必要であるが、この条件を満たす交差筋交いのバー３ａであれば、取付金物１２を嵌めた際、全ての種類のバー３ａの側部に六角ボルト１７の先端が当接するようネジ孔１５の位置を定める。
【００３４】
手摺り９の一端には前記軸体となるボルト・ナット１６のボルトが挿通する貫通孔を横向きに形成した。
【００３５】
図４に示すように、前記手摺り９の他端に設ける輪体１３は逆Ｕ字形の部材を溶接してなる細長輪体で、手摺り９に溶接する部分は、手摺り９の周面に沿う窪み１３ａを設けることにより溶接面積を確保して、手摺り１３に強固に固定できるようにする。
【００３６】
そして、手摺り９のパイプに対する輪体１３の取り付け角度は、５５度から９０度の範囲に設定する。なお、この逆Ｕ字形の部材は楕円形のものに代えてもよく、その場合は端部ではなく、内周部分を手摺り９のパイプに溶接する。また、取付金具１２の断面Ｕ字形の折り曲げ片は完全なＵ字形ではなく、コの字形に近いものでもよい。
【００３７】
次に、使用法について説明する。図５に示すように、本発明の手摺り９を取り付ける交差筋交いも従来例と同じく、交差筋交い３はパイプによるバー３ａを中央で相互に軸着して、Ｘ形に予め組んだ交差筋交いで、各バー３ａの端は偏平な板状としてここに建枠側の係止突起が挿人する貫通孔８を設けている。
【００３８】
かかる交差筋交い３に手摺り９を取り付けるには、まず、取付金具１２を位置決めし、交差筋交い３のバー３ａに固定する。
【００３９】
このため、まず断面Ｕ字形の折り曲げ片による取付金具１２を交差筋交いの他の一方のバー３ａに外側から嵌める。この時、軸体としてのボルト・ナット１６は外して開口面１２ｃの開放を確保しておく。
【００４０】
バー３ａが断面Ｕ字形の折り曲げ片による取付金具１２に収まったならば、このバー３ａの側部を六角ボルト１７の先端で押圧して取付金具１２を交差筋交いのバー３ａに固定する。
【００４１】
手摺り９の一端は、これに設けた輪体１３に交差筋交い３の一方のバー３ａを挿通させ、（輪体１３の内方のスペースはバー３ａの端は偏平な板状部分が通過できるものである。）、また、前記取付金具１２に手摺り９の他端をボルト・ナット１６で軸着する。
【００４２】
このようにすれば、図５に示すように開いた状態でＸ形となる交差筋交い３のバー３ａの軸着部の下方に係止して手摺り９を水平に掛渡されるように取り付けることができる。従って、交差筋交い３を枠間に取り付ければ、同時に手摺り９もセットすることになる。
【００４３】
なお、図８の場合は手摺り９を足元部にかける場合であるが、図示は省略するが天地を逆にして高い部分に手摺り９を位置させることも可能である。このような使い方は建枠の形状にもよるが、図１３に示すような建枠については継ぎ足す際に当該階の布板２上には当該階の建枠１の建地材ｌａの上半分が出るので、この部分を利用して交差筋交い３および手摺り９が取り付いているので、かかる上の階を構成する建枠１の作業はこの布板２上で、しかも交差筋交い３および手摺り９の内側で行うことができる。
【００４４】
このようにして、手摺り９は交差筋交い３をＸ字形に広げた状態では図５に示すように交差筋交い３のバー３ａの上部に水平に掛け渡らせるが、交差筋交い３を折り畳む状態では、図６に示すように相互に重なるバー３ａにこの手摺り９も近づいてコンパクトに収まる。
【００４５】
交差筋交い３に対する手摺り９の架渡し位置を変えて調節する場合には、六角ボルト１７を緩めて取付金物１２とバー３ａとの固定を解除し、手摺り９ごと取付金物１２を適当な位置まで移動させてから、再度六角ボルト１７を締めて取付金物を固定する。
【００４６】
また、交差筋交い３から手摺り９を取り外して通常の交差筋交いとして使用したり、手摺り９を他の交差筋交いに使用したりするため取り外すには、前記と逆の動作で、ボルト・ナット１６を外して取付金具１２から手摺り９の一端を外し、また、輪体１３から交差筋交い３のバー３ａを抜けばよい。さらに、取付金具１２は六角ボルト１７を緩めることで、交差筋交い２のバー３ａから外すことができる。
【００４７】
また、本発明の第２実施形態として、手摺り９は図７に示すように、直径の異なる２本のパイプ９ａ、９ｂを入れ子状に摺嵌して伸縮自在とし、外側のパイプ９ａには、内側のパイプ９ｂ外周面にその先端が当接するよう、先端を内側に向けて六角ボルト１８を設ける。その他の構成は前記第１実施形態と同じである。
【００４８】
使用方法は、まず手摺り９を使用する交差筋交い３の交差角度や大きさ、取付位置などから手摺り９の長さを決定し、それに合わせて手摺り９を伸縮させ、六角ボルト１８を締めて位置決め固定する。
【００４９】
次に、前記第１実施形態と同様に、輪体１３に交差筋交い３の一方のバー３ａを下端から挿通し、他方のバー３ａに取付金物１２を嵌めて六角ボルト１７により固定し、ボルト・ナット１６により手摺り９の端を軸支する。
【００５０】
このように、手摺り９を伸縮させて長さを調節可能とすることにより、様様な大きさや交差角度の交差筋交い３の適当な位置に、同一の手摺りを転用して取り付けることができ、交差筋交いの種類毎に手摺りを用意せずに済み、経済的である。
【図面の簡単な説明】
【００５１】
【図１】本発明の枠組足場の交差筋交い用手摺りの第１実施形態を示す正面図である。
【図２】取付金具の正面図である。
【図３】取付金具の側面図である。
【図４】輪体の側面図である。
【図５】開いた状態の枠組足場の交差筋交いに本発明の手摺りを取り付けた状態を示す正面図である。
【図６】畳んだ状態の枠組足場の交差筋交いに本発明の手摺りを取り付けた状態を示す正面図である。
【図７】本発明の枠組足場の交差筋交い用手摺りの第２実施形態を示す正面図である。
【図８】本発明の枠組足場の交差筋交い用手摺りの使用状態を示す斜視図である。
【図９】枠組足場の説明図である。
【図１０】従来例の正面図である。
【図１１】従来の枠組足場の交差筋交いへの手摺りの取り付け部分を示す正面図である。
【図１２】従来例の畳んだ状態を示す正面図である。
【図１３】建枠の一例の正面図である。
【符号の説明】
【００５２】
１  建枠                        １ａ  建地材
１ｂ  水平材                    ２  布板
３  交差筋交い                  ３ａ  バー
３ｂ  軸着部
４  親鋼支柱                    ５  親鋼
６  補強材                      ７  係止突起
８  貫通孔                      ９  手摺り
９ａ、９ｂ  パイプ              １０  ブラケット
１１  輪体                      １２  取付金具
１２ａ、１２ｂ  側面            １２ｃ  開口面
１３  輪体                      １４  孔
１５  ネジ孔                    １６  ボルト・ナット
１７、１８  六角ボルト
【図２】
2008106531.tif 000003
【図３】
2008106531.tif 000004
【図４】
2008106531.tif 000005
【図５】
2008106531.tif 000006
【図６】
2008106531.tif 000007
【図７】
2008106531.tif 000008
【図１】
2008106531.tif 000009
【図８】
2008106531.tif 000010
【図９】
2008106531.tif 000011
【図１０】
2008106531.tif 000012
【図１１】
2008106531.tif 000013
【図１２】
2008106531.tif 000014
【図１３】
2008106531.tif 000015